(57)【要約】      （修正有）【課題】失われる放射熱を有効に建物内に取り入れ或は放射して居住空間の快適な建物を実現できる赤外線反射材を提供する。【解決手段】反射材本体１の表面を、空気を要所要所に封入した合成樹脂製のエアーマット２で、該エアーマットの凸面側２１を対向させて覆ってなるものである。この建物用赤外線反射材を建物の要所要所に使用することによって、冬期間は室内の暖房熱の外に逃げるのを防ぎ、夏期間は外気の高温を反射し室内に伝わるのを防ぐことができるようにできるので、より快適な居住空間を提供でき、冷暖房施設を最小限にする省エネ住宅を提供できる。【選択図】図１
0003160555.tif 000002
【実用新案登録請求の範囲】
【請求項１】
反射材本体の表面を、空気を要所要所に封入した合成樹脂製のエアーマットで、該エアーマットの凸面側を対向させ覆ってなる建物用赤外線反射材。
【請求項２】
請求項１記載の反射材を建物の天井、天井裏、壁の何れかに設置してなる建物。
【考案の詳細な説明】
【技術分野】
【０００１】
本考案は、建物の、天井、天井裏や壁等に使用する赤外線反射材に関する。
【背景技術】
【０００２】
熱は伝導、対流、放射の三つの性質で伝わることが知られているが、住宅など建物から失われる熱が３つの性質の夫々がどの程度の割合で失われるかは未だあまり研究されていないが、アメリカで発表されている資料によれば、伝導５％、対流２５％、放射熱７０％となっており、圧倒的に放射熱で失われる熱の多いこと公表されている。そこでこの放射熱を「建物」内に留めておくことができるれば大いに省エネ効果を発揮することができることになる。
【０００３】
従来は、上記のように熱損失の７０％以上が放射熱と言うことが分からなかったため、２０〜３０％の伝導、対流熱の損失を防ぐために主な研究がなされ、結果的には高気密住宅が優れているとされてきている。然しながらこの高気密住宅は建物自体の耐久性に問題があるばかりか、人体への悪影響、建物自体の材料費の高価格性などの欠点が問題となっている。
【考案の概要】
【考案が解決しようとする課題】
【０００４】
そこで本考案では、７０％以上失われる放射熱を有効に建物内に取り入れ或は放射して居住空間の快適な建物を提供できる赤外線反射材を提供しようとするものである。
【課題を解決するための手段】
【０００５】
反射材本体の表面を、空気を要所要所に封入した合成樹脂製のエアーマットで、該エアーマットの凸面側を対向させて覆ってなるものである。
【考案の効果】
【０００６】
本考案の効果として、この建物用赤外線反射材を建物の要所要所に使用することによって、冬期間は室内の暖房熱の外に逃げるのを防ぎ、夏期間は外気の高温を反射し室内に伝わるのを防ぐことができるようにできるので、より快適な居住空間を提供でき、冷暖房施設を最小限にする省エネ住宅を提供できる。実験の結果、高気密住宅と、在来工法で本案反射材を天井、床、壁に組み込んだ住宅とに、双方床暖房とエアコンを設置し、一冬外気温、室内の朝、昼、夕の温度を測定した結果、高気密住宅より在来工法で本案反射材を施行した建物の方が快適な居住空間を提供できることが分かった。この結果居住空間の優れた建物をより安価に提供できることが分かった。
【図面の簡単な説明】
【０００７】
【図１】本案建物用赤外線反射材の縦断面説明図。
【図２】本案反射材を天井、天井裏に施行したときの反射材の効果を示した模式図。
【実施例】
【０００８】
図１において、建物用赤外線反射材Ａは、赤外線の反射効率に優れたアルミ箔からなる反射材本体１の反射面(図の場合は両面が反射面となっている。)を、空気を要所要所に封入した合成樹脂製のエアーマット２(通常プチプチ緩衝材などと呼ばれている。)で、該エアーマットの凸面側２’を対向させて覆ってなるものである。
【０００９】
これを使用するには、図２，３に示すように天井、天井裏に設置すれば熱移動の７０％を占める赤外線を矢印のように反射し、冬はより暖かく、夏はより涼しい居住空間をとなり、殊に天井裏などに施行した場合、反射材Ａの上に埃がたまっても埃自体の発する赤外線は反射材本体１で反射されるので、永年経っても反射効率の劣ることがない。
【符号の説明】
【００１０】
１：反射材本体
２：エアーマット
２’：凸面側
Ａ：反射材
【図１】
0003160555.tif 000003
【図２】
0003160555.tif 000004
【手続補正書】
【提出日】平成22年4月20日(2010.4.20)
【手続補正１】
【補正対象書類名】明細書
【補正対象項目名】全文
【補正方法】変更
【補正の内容】
【考案の詳細な説明】
【技術分野】
【０００１】本考案は、建物の、天井、天井裏や壁等に使用する赤外線反射材に関する。
【背景技術】
【０００２】熱は伝導、対流、放射の三つの性質で伝わることが知られているが、住宅など建物から失われる熱が３つの性質の夫々がどの程度の割合で失われるかは未だあまり研究されていないが、アメリカで発表されている資料によれば、伝導５％、対流２５％、放射熱７０％となっており、圧倒的に放射熱で失われる熱の多いこと公表されている。そこでこの放射熱を「建物」内に留めておくことができるれば大いに省エネ効果を発揮することができることになる。【０００３】従来は、上記のように熱損失の７０％以上が放射熱と言うことが分からなかったため、２０〜３０％の伝導、対流熱の損失を防ぐために主な研究がなされ、結果的には高気密住宅が優れているとされてきている。然しながらこの高気密住宅は建物自体の耐久性に問題があるばかりか、人体への悪影響、建物自体の材料費の高価格性などの欠点が問題となっている。
【考案の概要】
【考案が解決しようとする課題】
【０００４】そこで本考案では、７０％以上失われる放射熱を有効に建物内に取り入れ或は放射して居住空間の快適な建物を提供できる赤外線反射材を提供しようとするものである。
【課題を解決するための手段】
【０００５】反射材本体の表面を、空気を封入した合成樹脂製の気泡緩衝材で、該気泡緩衝材の突起部側を対向させて覆ってなるものである。
【考案の効果】
【０００６】本考案の効果として、この建物用赤外線反射材を建物の要所要所に使用することによって、冬期間は室内の暖房熱の外に逃げるのを防ぎ、夏期間は外気の高温を反射し室内に伝わるのを防ぐことができるようにできるので、より快適な居住空間を提供でき、冷暖房施設を最小限にする省エネ住宅を提供できる。実験の結果、高気密住宅と、在来工法で本案反射材を天井、床、壁に組み込んだ住宅とに、双方床暖房とエアコンを設置し、一冬外気温、室内の朝、昼、夕の温度を測定した結果、高気密住宅より在来工法で本案反射材を施行した建物の方が快適な居住空間を提供できることが分かった。この結果居住空間の優れた建物をより安価に提供できることが分かった。
【図面の簡単な説明】
【０００７】
【図１】本案建物用赤外線反射材の縦断面説明図。
【図２】本案反射材を天井、天井裏に施行したときの反射材の効果を示した模式図。
【実施例】
【０００８】図１において、建物用赤外線反射材Ａは、赤外線の反射効率に優れたアルミ箔からなる反射材本体１の反射面(図の場合は両面が反射面となっている。)を、空気を全面にわたり散在・封入した合成樹脂製の気泡緩衝材２(通常プチプチ(登録商標)緩衝材などと呼ばれている。)で、該気泡緩衝材の突起部側２’を対向させて覆ってなるものである。【０００９】これを使用するには、図２，３に示すように天井、天井裏に設置すれば熱移動の７０％を占める赤外線を矢印のように反射し、冬はより暖かく、夏はより涼しい居住空間をとなり、殊に天井裏などに施行した場合、反射材Ａの上に埃がたまっても埃自体の発する赤外線は反射材本体１で反射されるので、永年経っても反射効率の劣ることがない。
【符号の説明】
【００１０】１：反射材本体２：気泡緩衝材２’：突起部側Ａ：反射材
【手続補正２】
【補正対象書類名】実用新案登録請求の範囲
【補正対象項目名】全文
【補正方法】変更
【補正の内容】
【実用新案登録請求の範囲】
【請求項１】
反射材本体の表面を、空気を封入した合成樹脂製の気泡緩衝材で、該気泡緩衝材の突起部側を対向させ覆ってなる建物用赤外線反射材。
【請求項２】
請求項１記載の建物用赤外線反射材を建物の天井、天井裏、壁の何れかに設置してなる建物。